(57)【要約】【課題】  紐端部をケース内に戻す作業を迅速に行える玉紐ケースを提供することである。【解決手段】紐が巻かれた玉紐を収容するケース本体を有底筒型に形成し、ケース本体を上蓋で覆い、上蓋の内部とケース本体の内部を支持板で上下に仕切り、支持板の上に載せた紐巻きドラムを上蓋の内部に回転可能に収容し、支持板には上蓋の内部に通じる第１紐通し孔を開け、紐巻きドラムには、その底面側から外面に通じる第２紐通し孔を設け、上蓋の側面には第３紐通し孔をあけ、紐巻きドラムの上に有する巻取りハンドルを、上蓋の上面の開口部を経て外部に突出し、第１、第２、第３紐通し孔を順次通して外部に引き出した紐を、巻取りハンドルの回転によって紐巻きドラムに巻き付けることを特徴とする玉紐ケース。上蓋の側面又はケース本体の側面に紐端部を保持するフックを有することを特徴とする。【選択図】      図１
2005343500.tif 000002
【特許請求の範囲】
【請求項１】
紐（１）が巻かれた玉紐（２）を収容するケース本体（３）を有底筒型に形成し、ケース本体（３）を上蓋（４）で覆い、上蓋（４）の内部とケース本体（３）の内部を支持板（５）で上下に仕切り、支持板（５）の上に載せた紐巻きドラム（６）を上蓋（４）の内部に回転可能に収容し、支持板（５）には上蓋（４）の内部に通じる第１紐通し孔（１３）をあけ、紐巻きドラム（６）には、その底面側から外面に通じる第２紐通し孔（１６）を設け、上蓋（４）の側面には第３紐通し孔（１１）をあけ、紐巻きドラム（６）の上に有する巻取りハンドル（１９）を、上蓋（４）の上面の開口部（８）を経て外部に突出し、第１、第２、第３紐通し孔（１３，１６，１１）を順次通して外部に引き出した紐（１）を、巻取りハンドル（１９）の回転によって紐巻きドラム（６）に巻き付けることを特徴とする玉紐ケース。
【請求項２】
上蓋（４）の側面又はケース本体（３）の側面に紐端部を保持するフック（１２）を有することを特徴とする請求項１記載の玉紐ケース。
【発明の詳細な説明】
【技術分野】
【０００１】
本発明は、紐が巻かれた玉紐をケースに収容し、所望の長さだけケースから引き出すことのできる玉紐ケースに関する。
【背景技術】
【０００２】
上述した玉紐ケースとしては、玉紐だけでなく、粘着テープをも装着でき、双方を切断できる機能のあるものが知られている（特許文献１参照）。これは、俗に言うテープカッターと同様の形状で、粘着テープを外側に嵌める筒体の内側に玉紐を収容し、筒体の開口端外側を覆う側板から紐を引き出して、側板に設けた切欠を利用して紐を切断するものである。
【特許文献１】特開平１０−１２９６３４号公報
【発明の開示】
【発明が解決しようとする課題】
【０００３】
ところが、上述したものは、筒体内の玉紐をいちどきに使い切れなかった場合には、紐端部が側板から引き出され、だらしなく垂れ下がった状態となり、見苦しい。また、紐端部を長く引き出しておきながら使わなかった場合には、紐端部を再度、筒体内に手早く戻せるようにすることが望ましい。
【０００４】
本発明は上記実情を考慮して開発されたもので、その課題とするところは、紐端部をケース内に戻す作業を迅速に行える玉紐ケースを提供することである。
【課題を解決するための手段】
【０００５】
請求項１の玉紐ケースは、紐が巻かれた玉紐を収容するケース本体を有底筒型に形成し、ケース本体を上蓋で覆い、上蓋の内部とケース本体の内部を支持板で上下に仕切り、支持板の上に載せた紐巻ドラムを上蓋の内部に回転可能に収容し、支持板には上蓋の内部に通じる第１紐通し孔をあけ、紐巻ドラムには、その底面側から外面に通じる第２紐通し孔を設け、上蓋の側面には第３紐通し孔をあけ、紐巻ドラムの上に有する巻取りハンドルを、上蓋の上面の開口部を経て外部に突出し、第１、第２、第３紐通し孔を順次通して外部に引き出した紐を、巻取りハンドルの回転によって紐巻きドラムに巻き付けることを特徴とする。
【０００６】
上蓋の第３紐通し孔から引き出した紐端部は留めることなく垂れ下げた状態でも良いが、体裁を良くするには、請求項２の発明のように、上蓋の側面又はケース本体の側面に紐端部を保持するフックを有することが望ましい。
【発明の効果】
【０００７】
本発明は、巻取りハンドルを作業者が回すことで、支持板の上に載せた紐巻きドラムに紐が巻き付いて、引き出された紐が回収されるので、紐を玉紐ケース内に戻す作業が迅速に行える。
【０００８】
また、請求項２の発明であれば、フックに紐端部を保持させることによって、第３紐通し孔から引き出された紐端部の体裁が良くなるし、次回以降に紐を引き出す作業も迅速に行える。
【発明を実施するための最良の形態】
【０００９】
本発明の玉紐ケースは図１、図４に示すように、紐１が玉状というか円筒状に巻かれた玉紐２を収容するケース本体３と、ケース本体３の上に被せて留める上蓋４と、上蓋４内とケース本体３内を上下に仕切る支持板５と、支持板５の上に載せ且つ上蓋４の内部には回転可能に収容される紐巻きドラム６とからなる。
【００１０】
ケース本体３は、有底円筒型であって、その上部外面にはスナップ式に嵌り込む凹部７を円周方向に沿って設けてある。
【００１１】
一方、上蓋４は、上面に円形の開口部８を有する円筒型であって、開口部８を紐巻きドラム６よりも小径に形成することによって、紐巻きドラム６が誤って上方に抜き出されないようにしてある。また、上蓋４は、円筒状の上部を紐巻きドラム６よりも一回り大きく形成することによって、紐巻きドラム６を回転可能に収容する。そして、上蓋４は、その下部には段部９を段差状に外側に突出し、下端部（段部９よりも下側部分）をケース本体３よりも一回り大径に形成し、下端部の内面には、凹部７が嵌り込む凸部１０を円周方向に沿って突出してある。また、上蓋４は図２又は図４に示すように、その側面には内外に通じる第３紐通し孔１１をあけると共に、紐端部を止めるフック１２を外面に固定してある。フック１２は図２の拡大部分で示すように、上蓋４と一体成形された合成樹脂製品の小片であって、一端部（図中、下端部）を上蓋４に連続して固定し、他端部（図中、上端部）を上蓋４の外面に近接して設け、他端部と上蓋４との間に紐端部を差し入れて、フック１２の弾性によって他端部と上蓋４との間に紐端部を挟持するものである。
【００１２】
支持板５は、ケース本体３の上端面と上蓋４の段部９との間に介在される円盤であって、その中央部には上下に通じる第１紐通し孔１３をあけてある。
【００１３】
紐巻きドラム６は図３に示すように、円柱状で高さ中央部がくびれた胴部１４の上下にフランジ１５を外側に向かって鍔状に突出し、胴部１４の底面から外面に通じる第２紐通し孔１６を設けてある。第２紐通し孔１６は、胴部上面の中央部から外周に向かって延びる紐通し溝１７と、胴部１４の底面中央部から紐通し溝１７に通じる差込孔１８とから形成される。
【００１４】
図１又は図３に示すように紐巻きドラム６の上には巻取りハンドル１９を有し、巻取りハンドル１９を上蓋４の開口部８から上側に突き出して、手動で操作可能にしてある。巻取りハンドル１９は、コ字状のブロックであって、その両端部が紐通し溝１７を中心にして左右両側にまたがる状態で胴部１４の上面に連続して設けてある。また、巻取りハンドル１９は図３（ロ）に示すように平面視すると、左右に延びる形状である場合に、その上面の一側端部にはスリット２０を前後方向に貫通して設けてあり、スリット２０の奥部（下部）には紐切り用のカッター刃２１を、前後幅中央部に設けてある。そして、スリット２０に上から通した紐をカッター刃２１で切断する。なお、スリット２０の左右幅は、指よりも幅狭に形成してあり、スリット内に指が入らないようにすることによって、カッター刃２１で作業者が指を傷付けないようになる。
【００１５】
上述した玉紐ケースは以下の要領で使用する。まず、図２に示すように、ケース本体３の上から円筒状に巻かれた玉紐２を入れ、玉紐２から紐１を引きだして、支持板５の第１紐通し孔１３に下から通す。続いて、紐巻きドラム６の第２紐通し孔１６に対しては、底面の差込孔１８から紐１を通し、そのまま図１（イ）に示すように紐通し溝１７の一端部に向かって紐１を側方に引っ張って、紐通し溝１７内に紐１を沿わせるように引き出す。最後に、上蓋４の側面の第３紐通し孔１１に紐１を通せば良い。そして、これら一連の紐通し作業中に、支持板５をケース本体３の上に載せ、その上に紐巻きドラム６を載せ、紐巻きドラム６の上から上蓋４を被せる。そうすると、上蓋４がケース本体３に嵌り合って、支持板５が上蓋４とケース本体３との間に挟まって上下が仕切られ、支持板５の上に載った紐巻きドラム６が上蓋４内に回転可能に収容されると共に、巻取りハンドル１９が上蓋４の開口部８から外側に突出して操作可能になる。そして、紐１の端部は、上蓋４の第３紐通し孔１１から外部に引き出されているので、フック１２に通して挟持させ、見栄えを良くする。また、紐１を使用する場合は、フック１２から紐端部を外して、必要な長さだけ引き出してカッター刃２１で切断する。引き出した紐１を使わない場合には、巻取りハンドル１９を回すだけで、図１（ロ）に示すように、紐巻きドラム６に紐１が巻かれて、上蓋４の外に出ている紐１の長さが短くなる。なお、巻取りハンドル１９を掴んで、玉紐ケース全体を持ち運ぶこともできるので、便利である。
【図面の簡単な説明】
【００１６】
【図１】（イ）、（ロ）図は玉紐ケースの紐引き出し状態、紐巻き取り状態を示す断面図である。
【図２】紐の通し具合を示す分解図である。
【図３】（イ）、（ロ）、（ハ）、（ニ）図は紐巻きドラムの正面図、平面図、Ｂ−Ｂ線断面図、Ａ−Ａ線断面図である。
【図４】玉紐ケースの全体像を示す斜視図である。
【符号の説明】
【００１７】
１  紐
２  玉紐
３  ケース本体
４  上蓋
５  支持板
６  紐巻きドラム
８  開口部
１１  第３紐通し孔
１２  フック
１３  第１紐通し孔
１６  第２紐通し孔
１９  巻取りハンドル
【図１】
2005343500.tif 000003
【図２】
2005343500.tif 000004
【図３】
2005343500.tif 000005
【図４】
2005343500.tif 000006